(57)【要約】【課題】複数のリール間の隙間を覆うリールカバーが前方に引き出し容易なリールユニットを備えるスロットマシンを提供する。【解決手段】スロットマシン１０は筐体１１内部に配置されるリールユニット５０を備える。リールユニット５０は、外周面に複数種類の図柄を表示するリール２６Ｌ・２６Ｃ・２６Ｒと、これらリールを軸方向に並列配置するリールケース５１と、リールケース５１に着脱する略箱状のリールカバー５２と、を備える。リールカバー５２は、一端側に形成されて隣接する前記リールの間隙を覆う包囲壁５２Ａと、他端側に形成されて前記リールケースの外壁に嵌合する開口５２と、を有する。リールケース５１に対して引き出し容易となる一対の把持部５２Ｃ・５２Ｄをリールカバー５２の両翼に有する。【選択図】図３
2007319322.tif 000002
【特許請求の範囲】
【請求項１】
筐体内部に配置されるリールユニットを備えるスロットマシンであって、
前記リールユニットは、外周面に複数種類の図柄を表示する複数のリールと、これらリールを軸方向に並列配置するリールケースと、このリールケースに着脱する略箱状のリールカバーと、を備え、
前記リールカバーは、一端側に形成されて隣接する前記リールの間隙を覆う包囲壁と、他端側に形成されて前記リールケースの外壁に嵌合する開口と、を有し、
前記リールユニットは、前記リールケースに対して引き出し容易となる一対の把持部を当該リールカバーの両翼に有するスロットマシン。
【請求項２】
前記リールケースは、前記一対の把持部に係合可能な一対のロック機構を備える請求項１記載のスロットマシン。
【請求項３】
前記リールケースは、反引き出し方向に回動可能な一対の取っ手に連動するロックアームを両翼に備え、
前記リールカバーは、前記一対の把持部に設けられ、前記ロックアームに係合するラッチアームを両翼に備え、
前記ロック機構は、前記取っ手と前記把持部とを互いに離反する方向に移動して、前記ロックアームと前記ラッチアームとの係合を解除する請求項２記載のスロットマシン。
【請求項４】
前記リールカバーは、前記リールの外周面に表示された所定範囲の図柄を観察可能な複数の窓を前記包囲壁に有し、
これらの窓の両縁に前記リールの間隙を向かう複数の仕切り片を備える請求項１から３のいずれかに記載のスロットマシン。
【請求項５】
前記リールカバーは、前記複数の仕切り片を一体で成形している請求項４記載のスロットマシン。
【発明の詳細な説明】
【技術分野】
【０００１】
本発明は、スロットマシンに関する。特に、複数の図柄を可変表示する可変表示部として、機械的に回転駆動される複数のリールを有する可変表示装置（以下、リールユニットという）を備えるスロットマシンの構造に関する。
【背景技術】
【０００２】
一般に、スロットマシンは、外周面に所定間隔で表示された複数種類の図柄を有する図柄列が描かれた複数のリールを回転自在に横方向に並列配置している。そして、複数の図柄を可変表示するリールユニットをスロットマシンの本体の中央部に配置している。遊技者は、この本体の正面の表示窓を通して、各リールの図柄をそれぞれ観察できる。
【０００３】
このようなスロットマシンに対して、表示部全体の視野を広げながら、遊技者から各リール間の内部やリールの端面が見えないようにリールカバーで覆うと共に、リールカバーの取り付けが容易でフロントドアを取り付ける筐体の仕様変更にも対応できるスロットマシンが発明されている（例えば、特許文献１参照）。
【０００４】
特許文献１によるスロットマシンは、各リールの図柄が表示される表示部を隣接するリール間の隙間を目隠しするマスクの無いマスクレス窓で形成している。そして、隣接するリール間の隙間を覆う円弧面を有する帯状部材からなる複数のリールカバーをこのマスクレス窓の背側における奥行方向内方に設けている。又、これらのリールカバーは、リール間の隙間より大きい幅を有している。
【０００５】
更に、これらのリールカバーは、各リール間の隙間に位置するカバー取り付け部を挟み込む複数の挟込片を有し、これらの挟込片とカバー取り付け部のいずれか一方には突起を設け、他方にはこの突起が嵌合する穴を設けている。そして、リールカバーの挟込片は、その先端部が面取りされている。
【特許文献１】特開平１１−１１４１３０号公報
【発明の開示】
【発明が解決しようとする課題】
【０００６】
特許文献１によるスロットマシンに用いられるリールユニットは、各リール間の隙間をリールカバーで覆うので、内部が遊技者から容易に見えないという利点がある。更に、リールの回転によりブレが目立つような場合でも、各リールの端面は見えないので、遊技者はブレのあることに気づかない。つまり、表示部内部のリールの外観を損なうことがない。又、遊技中の遊技者にとって視界の中心は表示部であるが、表示部に表わされる図柄に対する遊技者の注視を妨げる要因（例えば、リール間の内部や回転するリールのブレ）が少なくなり、遊技者にとっては目視による集中が阻害されると感じなくなる。
【０００７】
又、特許文献１によるリールユニットは、リールカバーの挟込片と各リール間に位置するカバー取り付け部とのいずれか一方には突起を設け、他方には穴を設けているので、突起と穴との嵌合又は離脱によりカバー取り付け部に対するカバーの着脱が容易になる。更に、カバーの挟込片の先端部を面取りしているので、リールカバーの挟込片がカバー取り付け部を挟み込むときの抵抗を少なくして、リールカバーの取り付けが容易になる。
【０００８】
例えば、このようなリールユニットは、保守又は点検などでリールカバーを取り外すことが多い。しかし、特許文献１によるリールユニットは、複数のリールカバーを個々に着脱するので、労力を要するという問題がある。各リール間の隙間を覆うリールカバーが一括してリールユニットから着脱される構造が好ましい。
【０００９】
又、このようなリールユニットは、一般に、スロットマシンの筐体内部に設けられた棚に載置されており、フロントドアを開けて、リールカバーを前方に引き出すことは容易であるが、リールカバーを上方に引き上げることや、左右に引き出すことは、スペースの制約上から困難である。リールカバーを前方に引き出し容易なリールユニットが求められている。そして、以上のことが、本発明の課題といってよい。
【００１０】
本発明は、このような問題に鑑みてなされたものであり、筐体内部に配置されるリールユニットを備えるスロットマシンであって、複数のリール間の隙間を覆うリールカバーが前方に引き出し容易なリールユニットを備えるスロットマシンを提供することを目的とする。
【課題を解決するための手段】
【００１１】
本発明者は、上記目的を達成するため、箱形に形成されるリールカバーがリールユニット本体と嵌合する構造とし、このリールカバーの両翼に把持部を設けることにより、リールカバーが前方に引き出し容易なことを見出し、これに基づいて、以下のような新たなリールユニットを備えるスロットマシンを発明するに至った。
【００１２】
（１）  筐体内部に配置されるリールユニットを備えるスロットマシンであって、前記リールユニットは、外周面に複数種類の図柄を表示する複数のリールと、これらリールを軸方向に並列配置するリールケースと、このリールケースに着脱する略箱状のリールカバーと、を備え、前記リールカバーは、一端側に形成されて隣接する前記リールの間隙を覆う包囲壁と、他端側に形成されて前記リールケースの外壁に嵌合する開口と、を有し、前記リールユニットは、前記リールケースに対して引き出し容易となる一対の把持部を当該リールカバーの両翼に有するスロットマシン。
【００１３】
（１）の発明によるスロットマシンは、筐体内部に配置されるリールユニットを備えている。リールユニットは、複数のリールとリールケースと略箱状のリールカバーを備えている。リールは、外周面に複数種類の図柄を表示している。リールケースは、複数のリールを軸方向に並列配置している。リールカバーはリールケースに着脱する。又、リールカバーは包囲壁と開口を有している。包囲壁は、リールカバーの一端側に形成されており、隣接するリールの間隙を覆っている。開口は、リールカバーの他端側に形成されており、リールケースの外壁に嵌合する。そして、リールユニットは、リールケースに対して引き出し容易となる一対の把持部をリールカバーの両翼に有している。
【００１４】
（１）の発明によるスロットマシンは、例えば、筐体を開閉するフロントドアを備えており、この筐体内部にリールユニットが配置される。一般に、筐体内部は棚で上下に仕切られており、この棚にリールユニットが配置される。ここで、リールユニットは筐体内部に配置されるとは、リールユニットがこの棚に固定される形態を含み、リールユニットがこの棚から引き出し容易に載置される形態を含むことができる。又、フロントドアに設けられる表示窓に対向するように、筐体内部にリールユニットを配置しているということもできる。表示窓を介して、複数のリールに表示された複数種類の図柄を観察できる。
【００１５】
例えば、棚の下方には、投入された遊技メダルを収納、又は遊技メダルを遊技メダル受け皿に払い出すホッパーや、還元率設定スイッチを含む電源ボックスが配置されている。前記棚の上方には、スロットマシンを制御するメイン基板（プリント基板）及びサブ基板（プリント基板）を含む制御盤などが配置されており、筐体内部には、リールカバーを上方に引き上げるスペースの余裕は無いといってよい。もちろん、リールカバーを左右に引き出すスペースの余裕も無いといってよい。
【００１６】
複数のリールはその一部が、リールケース内に支持、収納などにより配置することができる。リールケース内には、リールを回転駆動するモータが配置されてよく、このモータを支持するアングル部材が配置されてもよい。アングル部材もリールケースの内部構造を構成できる。アングル部材は、リールケースにねじなどの締結具で固定されることが好ましく、アングル部材とモータとリールが一体となって、リールケースから取り外し可能な構造が好ましい。リールケースは、複数のリールを軸方向に並列配置しているとは、各リールの回転軸が同軸上に配置されていることを意味しており、各リールは独立して回転駆動できる。
【００１７】
リールケースは、複数のリールの一方の円弧面が突出するように開口された略箱状に形成されることが好ましく、複数のリールの他方の円弧面が包囲される。リールケースは、複数のリールを衝撃物などから保護する機能を有している。リールケースは、上壁、両側壁、及び後壁が合成樹脂で成形される包囲体と、両翼に折り曲げ片を有する金属板からなる底板とで構成され、前記両側壁と前記一対の折り曲げ片がねじなど結合される組立体が好ましい。この底板の開口側に折り曲げ片（フランジ）を設け、前述した筐体内部の棚にねじなどの締結具でフランジを固定するようにしてもよい。
【００１８】
リールカバーは、合成樹脂で成形されることが好ましく、一端側は複数のリールの円弧面を覆うように半月形の円柱状に形成され、他端側はリールケースの外壁に嵌合すべく、箱状に形成される。リールカバーにおける前記箱状部は、底壁に相当する部位が切り欠かれていてもよい。リールカバーは、リールケースを三方から囲っている。
【００１９】
包囲壁は隣接するリールの間隙を覆っているとは、後述するように、リールの外周面に表示された所定範囲の図柄を観察可能な複数の窓を包囲壁が有していることを含み、これらの窓の周辺がリールの間隙を覆っていることを含んでいる。リールユニットの内部が遊技者から容易に見えないように、リールの外周面と包囲壁の内面とは、近接することが好ましいが、リールの回転によりブレが発生するので、所用の間隙を有している。
【００２０】
嵌合するとは、例えば、形状が合ったものをはめ合わせること、と定義されている。ここで、リールカバーにおける開口の対向する一対の内壁の間隔は、リールケースにおける相反する向きに位置する一対の外壁の間隔よりも広く、リールケースにおける三方の外壁にリールカバーがはめ合わされるように着脱される。そして、（１）の発明によるスロットマシンは、リールケースに対して引き出し容易となる一対の把持部をリールカバーの両翼に有するリールユニットを備えている。
【００２１】
そして、（１）の発明によるスロットマシンは、リールケースに対して引き出し容易となる一対の把持部をリールカバーの両翼に有するリールユニットを備えている。一対の把持部は、リールカバーの両翼に一体に成形されてもよく、一対の把持部を別体として、リールカバーの両翼に結合してもよい。一対の把持部は、所定の掴み代を有することが好ましい。
【００２２】
このように、（１）の発明によるスロットマシンは、各リール間の隙間を覆うリールカバーが一括してリールユニットから着脱できるリールユニットを提供している。又、スペースの制約がある筐体内部において、リールカバーを前方に引き出し容易なリールユニットを提供している。
【００２３】
（２）  前記リールケースは、前記一対の把持部に係合可能な一対のロック機構を備える（１）記載のスロットマシン。
【００２４】
（２）の発明によるスロットマシンは、リールケースが一対の把持部に係合可能な一対のロック機構を備えているので、リールカバーをリールケースに係止できる。
【００２５】
（３）  前記リールケースは、反引き出し方向に回動可能な一対の取っ手に連動するロックアームを両翼に備え、前記リールカバーは、前記一対の把持部に設けられ、前記ロックアームに係合するラッチアームを両翼に備え、前記ロック機構は、前記取っ手と前記把持部とを互いに離反する方向に移動して、前記ロックアームと前記ラッチアームとの係合を解除する（２）記載のスロットマシン。
【００２６】
（３）の発明によるスロットマシンは、リールケースが、反引き出し方向に回動可能な一対の取っ手に連動するロックアームを両翼に備えている。リールカバーは、一対の把持部に設けられ、ロックアームに係合するラッチアームを両翼に備えている。そして、ロック機構は、取っ手と把持部とを互いに離反する方向に移動して、ロックアームとラッチアームとの係合を解除する。
【００２７】
例えば、取っ手はＵ字状に形成された棒状部材であり、一対の取っ手をリールケースの両翼に設けることにより、リールユニットの引き出しが容易となる。一対の取っ手は、リールケースと一体に成形されてよく、一対の取っ手を別体としてリールケースの両翼に設けてもよい。取っ手は、基端側に切り欠きが形成され、先端側は引き出し方向に回動困難であるが反引き出し方向に回動容易な構造としてよく、基端側にヒンジを設け、先端側は引き出し方向に回動困難であるが反引き出し方向に回動容易な構造としてもよい。
【００２８】
ロックアームは、鉤状に形成されたフック部を先端部に有している。ロックアームの基端部は、取っ手の基端側に結合している。そして、ロックアームは取っ手に連動するとは、取っ手の回動に対応してフック部が揺動することを意味している。
【００２９】
又、ラッチアームは、鉤状に形成されたフック部を先端部に有している。ラッチアームはロックアームに係合するとは、ラッチアームのフック部とロックアームのフック部とが係合することを意味している。ラッチアームと把持部は、各基端側が結合されて、断面Ｌ字状に形成される。把持部の先端側を引き出し方向に回動すると、ラッチアームのフック部が回動する。
【００３０】
（３）の発明によるスロットマシンは、取っ手と把持部とを互いに離反する方向に移動して、ロックアームとラッチアームとの係合を解除でき、リールカバーの引き出しが容易である。
【００３１】
（４）  前記リールカバーは、前記リールの外周面に表示された所定範囲の図柄を観察可能な複数の窓を前記包囲壁に有し、これらの窓の両縁に前記リールの間隙を向かう複数の仕切り片を備える請求項１から３のいずれかに記載のスロットマシン。
【００３２】
（４）の発明によるスロットマシンは、リールカバーに備わる仕切り片が、包囲壁からＴ字状に突出してもよく、包囲壁からＬ字状に突出してもよく、リールユニットの内部が遊技者から容易に見えないという利点がある。
【００３３】
（５）  前記リールカバーは、前記複数の仕切り片を一体で成形している（４）記載のスロットマシン。
【発明の効果】
【００３４】
本発明によるスロットマシンは、各リール間の隙間を覆うリールカバーが一括してリールユニットから着脱できるリールユニットを提供している。又、スペースの制約がある筐体内部において、リールカバーを前方に引き出し容易なリールユニットを提供している。
【発明を実施するための最良の形態】
【００３５】
以下、図面を参照して本発明を実施するための最良の形態を説明する。
【００３６】
図１は、本発明によるスロットマシンの一実施形態を示す正面図である。図２は、前記実施形態によるスロットマシンの筐体の内部構造を示す斜視概観図であり、フロントドアを開けた状態図である。図３は、前記実施形態によるスロットマシンに備わるリールユニットの斜視概観図である。図４は、前記実施形態によるリールユニットの正面図である。図５は、前記実施形態によるリールユニットの平面図である。図６は、前記実施形態によるリールユニットの右側面図であり、要部を断面で示している。図７は、前記実施形態にリール及び周辺部の斜視概観図である。
【００３７】
最初に、本発明によるスロットマシンの構成を説明する。図１及び図２において、本体１２は、スロットマシン１０の外周を覆っている。スロットマシン１０は、筐体１１と、筐体１１を開閉するフロントドア１３と、を備えている。筐体１１の内部にリールユニット５０が配置されている。筐体１１の内部は、棚４３で上下に仕切られており、棚４３にリールユニット５０が載置されている。
【００３８】
図２において、棚４３の下方には、投入された遊技メダルを収納、又は遊技メダルを遊技メダル受け皿４０に払い出すホッパー４５や、還元率設定スイッチ７２を含む電源ボックス４６が配置されている。棚４３の上方には、スロットマシン１０を制御するメイン基板（プリント基板）及びサブ基板（プリント基板）を含む制御盤４７などが配置されている。図２に示されるように、筐体１１の内部には、リールカバー５２を上方に引き上げるスペースの余裕は無いといってよい（図３参照）。もちろん、リールカバー５２を左右に引き出すスペースの余裕も無いといってよい。
【００３９】
図１又は図２において、フロントドア１３に形成される正面パネル２２には、矩形状の表示窓１４が設けられている。表示窓１４は、個別の表示窓１４Ｌ・１４Ｃ・１４Ｒに区画されている。リールユニット５０には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００４０】
図１において、表示窓１４の下方右側には、略水平の台座部２８が設けられており、その上面右側には、遊技者が遊技媒体である遊技メダルを入れるための投入口２５が設けられている。ここで、遊技メダルは、コイン、メダル、又はトークンと称される代用貨幣である。
【００４１】
図１において、台座部２８の上面左側には、押しボタン操作による三つのＢＥＴスイッチ２９・３０・３１が配置されている。ＢＥＴスイッチ２９は、１回の遊技に１枚の遊技メダルを賭けられる。ＢＥＴスイッチ３０は、１回の遊技に２枚の遊技メダルを賭けられる。ＢＥＴスイッチ３１は、１回の遊技に３枚の遊技メダルを賭けられる。台座部２８の前面の左側には、スタートレバー３２が傾動可能に設けられている。スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００４２】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００４３】
図１において、スタートレバー３２の左側には、払出しボタン３６が設けられている。遊技者が払出しボタン３６を押動操作したときには、投入されている遊技メダルが正面下部の遊技メダル払出口３８から払い出され、払い出された遊技メダルは遊技メダル受け皿４０に溜められる。
【００４４】
図１において、表示窓１４には、一点鎖線で示す横に３本（中央及び上下）及び斜めに２本の入賞ラインが設けられている。ゲーム開始に先立って、遊技者が投入口２５から１枚の遊技メダルを投入したときは中央の入賞ラインだけが有効化され、２枚の遊技メダルを投入したとき、これに上下の入賞ラインが加わり、３枚の遊技メダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００４５】
次に、本発明によるスロットマシンに備わるリールユニットの構成を説明する。図３から図６において、リールユニット５０は、三つのリール２６Ｌ・２６Ｃ・２６Ｒとリールケース５１と略箱状のリールカバー５２と、を備えている。リール２６Ｌ・２６Ｃ・２６Ｒは、各外周面に複数種類の図柄を表示している。リールケース５１は、三つのリール２６Ｌ・２６Ｃ・２６Ｒを軸方向に並列配置している。リールカバー５２はリールケース５１に着脱する。
【００４６】
図３から図６において、又、リールカバー５２は、包囲壁５２Ａと開口５２Ｂを有している。包囲壁５２Ａは、リールカバー５２の一端側に形成されており、隣接するリール２６Ｌ・２６Ｃ・２６Ｒの間隙を覆っている。開口５３Ｂは、リールカバー５２の他端側に形成されており、リールケース５１の外壁に嵌合する。リールユニット５０は、リールケース５１に対して引き出し容易となる一対の把持部５２Ｃ・５２Ｄをリールカバー５２の両翼に有している。
【００４７】
図３から図６において、三つのリール２６Ｌ・２６Ｃ・２６Ｒはその一部が、リールケース５１内に支持、収納などにより配置されている。リールケース５１内には、各リール２６Ｌ・２６Ｃ・２６Ｒを回転駆動するモータ２７が配置されており、モータ２７を支持するアングル部材２８Ｌ・２８Ｃ・２８Ｒが配置されている（図７参照）。ここで、三つのリール２６Ｌ・２６Ｃ・２６Ｒは、構造的に同一のものであり、アングル部材２８Ｌ・２８Ｃ・２８Ｒも構造的に同一のものであり、図７では、リール２６Ｒとアングル部材２８Ｒを代表して示している。
【００４８】
図３から図６において、アングル部材２８Ｌ・２８Ｃ・２８Ｒは、リールケース５１の内部構造を構成している。アングル部材２８Ｌ・２８Ｃ・２８Ｒは、リールケース５１にねじなどの締結具で固定される。アングル部材２８Ｒとモータ２７とリール２６Ｒが一体となって、リールケース５１から取り外し可能な構造となっている。リールケース５１は、三つのリール２６Ｌ・２６Ｃ・２６Ｒを軸方向に並列配置しており、各リール２６Ｌ・２６Ｃ・２６Ｒの回転軸が同軸上に配置されている。各リール２６Ｌ・２６Ｃ・２６Ｒは独立して回転駆動できる。
【００４９】
図３から図６において、リールケース５１は、三つのリール２６Ｌ・２６Ｃ・２６Ｒの一方の円弧面が突出するように開口された略箱状に形成されている。又、リールケース５１は、三つのリール２６Ｌ・２６Ｃ・２６Ｒの他方の円弧面が包囲されている。リールケース５１は、上壁、両側壁、及び後壁が合成樹脂で成形される包囲体５１Ａと、両翼に折り曲げ片５１１・５１２を有する金属板からなる底板５１Ｂとで構成されている。そして、リールケース５１は、前記両側壁と一対の折り曲げ片５１１・５１２がねじなど結合される組立体となっている。底板５１Ｂは、リールケース５１の開口側にフランジ５１３を設けており、筐体１１内部の棚４３にねじなどの締結具でフランジ５１３が固定される（図２参照）。
【００５０】
図３から図６において、リールカバー５２は、合成樹脂で成形されており、一端側は三つのリール２６Ｌ・２６Ｃ・２６Ｒの円弧面を覆うように半月形の円柱状に形成され、他端側はリールケース５１の外壁に嵌合すべく、箱状に形成される。リールカバー５２における前記箱状部は、底壁に相当する部位が切り欠かれており。リールカバー５２は、リールケース５１を三方から囲っている。
【００５１】
図３から図６において、リールカバー５２は、三つのリール２６Ｌ・２６Ｃ・２６Ｒの外周面に表示された所定範囲の図柄を観察可能な三つの窓５２Ｌ・５２Ｓ・５２Ｒを包囲壁５２Ａに有している。そして、三つの窓５２Ｌ・５２Ｓ・５２Ｒの周辺がリール２６Ｌ・２６Ｃ・２６Ｒの間隙を覆っている。
【００５２】
図３から図６において、リールユニット５０は、リールケース５１に対して引き出し容易となる一対の把持部５２Ｃ・５２Ｄをリールカバー５２の両翼に有している。一対の把持部５２Ｃ・５２Ｄは、リールカバー５２の両翼に一体に成形されている。一対の把持部５２Ｃ・５２Ｄを別体として、リールカバー５２の両翼に結合してもよい。一対の把持部５２Ｃ・５２Ｄは、所定の掴み代を有している。
【００５３】
図３から図６において、リールケース５１は、一対の把持部５２Ｃ・５２Ｄに係合可能な一対のロック機構６１・６２を備えている。リールケース５１は、反引き出し方向に回動可能な一対の取っ手５１Ｃ・５１Ｄに連動する一対のロックアーム５１Ｅ・５１Ｆを両翼に備えている。リールカバー５２は、一対の把持部５２Ｃ・５２Ｄに設けられ、ロックアーム５１Ｅ・５１Ｆに係合するラッチアーム５２Ｅ・５２Ｆを両翼に備えている。そして、各ロック機構６１・６２は、各取っ手５１Ｃ・５１Ｄと各把持部５２Ｃ・５２Ｄとを互いに離反する方向に移動して、ロックアーム５１Ｅ・５１Ｆとラッチアーム５２Ｅ・５２Ｆとの係合を解除できる。
【００５４】
次に、本発明によるスロットマシンの作用を説明する。図３から図６において、リールカバー５２における開口５２Ｂの対向する一対の内壁の間隔は、リールケース５１における相反する向きに位置する一対の外壁の間隔よりも広く、リールケース５１における三方の外壁にリールカバーがはめ合わされるように着脱される。リールカバー５２における開口５２Ｂは段差が形成され、開口５２Ｂの強度を補強している。一方、リールケース５１における三方の外壁にも段差が形成され、リールケース５１の強度を補強している。
【００５５】
そして、本発明によるスロットマシンは、各リール間の隙間を覆うリールカバーが一括してリールユニットから着脱できるリールユニットを提供している。又、本発明によるスロットマシンは、リールケースに対して引き出し容易となる一対の把持部をリールカバーの両翼に有するリールユニットを備えている。本発明によるスロットマシンは、スペースの制約がある筐体内部において、リールカバーを前方に引き出し容易なリールユニットを提供している。
【００５６】
図３から図６において、一対の取っ手５１Ｃ・５１ＤはＵ字状に形成された棒状部材であり、一対の取っ手５１Ｃ・５１Ｄをリールケース５１の両翼に設けることにより、リールユニット５０の引き出しが容易となる。一対の取っ手５１Ｃ・５１Ｄは、リールケース５１と一体に成形されている。取っ手５１Ｃ・５１Ｄは、基端側に切り欠き５１Ｇが形成され、取っ手５１Ｃ・５１Ｄの先端側は引き出し方向に回動困難であるが反引き出し方向に回動容易な構造となっている。
【００５７】
図３から図６において、ロックアーム５１Ｅ・５１Ｆは、鉤状に形成されたフック部を先端部に有している。ロックアーム５１Ｅ・５１Ｆの基端部は、取っ手５１Ｃ・５１Ｄの各基端側に結合している。そして、取っ手５１Ｃ・５１Ｄの回動に対応してロックアーム５１Ｅ・５１Ｆの各フック部が揺動する。
【００５８】
図３から図６において、ラッチアーム５２Ｅ・５２Ｆは、鉤状に形成されたフック部を各先端部に有している。ラッチアーム５２Ｅ・５２Ｆのフック部とロックアーム５１Ｅ・５１Ｆのフック部とがそれぞれ係合することにより、ラッチアーム５２Ｅ・５２Ｆはロックアーム５１Ｅ・５１Ｆに係合する。ラッチアーム５２Ｅ・５２Ｆと把持部５２Ｃ・５２Ｄは、各基端側が結合されて、断面Ｌ字状に形成されている（図５参照）。各把持部５２Ｃ・５２Ｄの先端側を引き出し方向に回動すると、各ラッチアーム５２Ｅ・５２Ｆのフック部が回動する。
【００５９】
本発明によるスロットマシンは、取っ手と把持部とを互いに離反する方向に移動して、ロックアームとラッチアームとの係合を解除でき、リールカバーの引き出しが容易である。
【００６０】
又、図３から図６において、リールカバー５２は、リール２６Ｌ・２６Ｃ・２６Ｒの外周面に表示された所定範囲の図柄を観察可能な三つの窓５２Ｌ・５２Ｓ・５２Ｒを包囲壁５２Ａに有している。そして、これらの窓５２Ｌ・５２Ｓ・５２Ｒの両縁にリール２６Ｌ・２６Ｃ・２６Ｒの間隙を向かう複数の仕切り片５２Ｔを備えている。そして、リールカバー５２は、複数の仕切り片５２Ｔを一体で成形している。
【００６１】
本発明によるスロットマシンは、リールカバーに備わる仕切り片が、包囲壁からＴ字状に突出してもよく、包囲壁からＬ字状に突出してもよく、リールユニットの内部が遊技者から容易に見えないという効果がある。
【図面の簡単な説明】
【００６２】
【図１】本発明によるスロットマシンの一実施形態を示す正面図である。
【図２】前記実施形態によるスロットマシンの筐体の内部構造を示す斜視概観図であり、フロントドアを開けた状態図である。
【図３】前記実施形態によるスロットマシンに備わるリールユニットの斜視概観図である。
【図４】前記実施形態によるリールユニットの正面図である。
【図５】前記実施形態によるリールユニットの平面図である。
【図６】前記実施形態によるリールユニットの右側面図であり、要部を断面で示している。
【図７】前記実施形態にリール及び周辺部の斜視概観図である。
【符号の説明】
【００６３】
１０  スロットマシン
１１  筐体
２６Ｌ・２６Ｃ・２６Ｒ  リール（複数のリール）
５０  リールユニット
５１  リールケース
５２  リールカバー
５２Ａ  包囲壁
５２Ｂ  開口
５２Ｃ・５２Ｄ  一対の把持部
【図１】
2007319322.tif 000003
【図２】
2007319322.tif 000004
【図３】
2007319322.tif 000005
【図４】
2007319322.tif 000006
【図５】
2007319322.tif 000007
【図６】
2007319322.tif 000008
【図７】
2007319322.tif 000009